(57)【要約】【課題】  本発明は、転倒防止石材に関し、施工が容易であってしかもコストが廉価であり、取り付けや取り外しにおいても石材を傷つけることのないようにすることが課題である。【解決手段】  石材と石材との接合面に、粘弾性体８、９，…を介在させた転倒防止石材１とするものである。【選択図】図１
2007085048.tif 000002
【特許請求の範囲】
【請求項１】
石材と石材との接合面に、粘弾性体を介在させたこと、
を特徴とする転倒防止石材。
【請求項２】
粘弾性体は、ウレタン系粘着材、スチレン系粘着材、オレフィン系粘着材、ブチルゴム系粘着材、アクリルゴム系粘着材のうちの少なくとも一つを含むシート状若しくはテープ状のものであること、
を特徴とする請求項１に記載の転倒防止石材。
【請求項３】
粘弾性体に被せている剥離紙が折り返されて、引き手を有していること、
を特徴とする請求項１または２に記載の転倒防止石材。
【請求項４】
粘弾性体と、これを仮止めにして貼着する平板状の剥離材とにおいて、該剥離材が少なくとも前記粘弾性体よりも大きさが大きく、且つ、透明体も若しくは半透明体であること、
を特徴とする請求項１乃至３のいずれかに記載の転倒防止石材。
【請求項５】
粘弾性体には、粉体状、粒状体，メッシュ，布の少なくとも一つが混入されていること、
を特徴とする請求項１乃至４のいずれかに記載の転倒防止石材。
【発明の詳細な説明】
【技術分野】
【０００１】
本発明は、石材同士の接合における構造に関し、特殊な粘弾性体を用いた地震時の転倒防止石材に関するものである。
【背景技術】
【０００２】
従来、例えば、墓石や記念碑、塀や灯籠、レンガ等における石材同士の接合には、セメントやモルタルで接着する方法、ステンレス棒で繋ぐ方法、エポキシ樹脂若しくは変形シリコーンで接着する方法、剛性板と衝撃吸収材の積層する方法（特許文献１参照）などがある。
【特許文献１】特開平１１−３５１３２３号公報
【発明の開示】
【発明が解決しようとする課題】
【０００３】
しかし、例えば、前記セメントやモルタルで接着する方法では、長期の耐久性が乏しく、接着強度が施工性に依存するものであり、接着力が弱い。また、ステンレス棒で繋ぐ方法では、加工に手間が掛かると共に施工にも手間が掛かり、解体する時には石材の一部を破損するおそれがある。更に、エポキシ樹脂等の接着材による方法では、解体するときに石材の一部を破損すると共に、長期の耐久性が乏しいものである。本発明に係る転倒防止石材は、このような課題を解決するために提案されたものである。
【課題を解決するための手段】
【０００４】
本発明に係る転倒防止石材の上記課題を解決して目的を達成するための要旨は、石材と石材との接合面に、粘弾性体を介在させたことである。
【０００５】
前記粘弾性体は、ウレタン系粘着材、スチレン系粘着材、オレフィン系粘着材、ブチルゴム系粘着材、アクリルゴム系粘着材のうちの少なくとも一つを含むシート状若しくはテープ状のものであること、；
粘弾性体に被せている剥離紙が折り返されて、引き手を有していること、；
前記粘弾性体と、これを仮止めにして貼着する平板状の剥離材とにおいて、該剥離材が少なくとも前記粘弾性体よりも大きさが大きく、且つ、透明体も若しくは半透明体であること、；
粘弾性体には、粉体状、粒状体，メッシュ，布の少なくとも一つが混入されていること、；
を含むものである。
【発明の効果】
【０００６】
本発明の転倒防止石材によれば、粘弾性体を接合面に介在させるのみであるので、石材に追加加工を施す必要が無くなり、取り付け作業も簡単なのでコストも低廉となる。また、石材は、例えば、墓石である場合、地震などによる転倒を防止することができる。
前記転倒防止石材により、取り付け取り外しが容易である。更に、外観上、粘弾性体が目に付くことが無く景観を害さない。
この粘弾性体に被せられる剥離紙には、引き手が付いているので、石材を少し傾けて接合面に隙間を作るだけで、その剥離紙の引き手を引くことで、容易に剥離紙を粘弾性体から剥がすことができる。よって、石材を正確に位置決めした後に、剥離紙を剥がして固定することが、短時間で且つ容易に施工できる。
また、前記粘弾性体により石材の傾きを容易に修正することができる。そして、石材の取り外しの時には、当該石材や相手側石材を傷つけることもない。
【発明を実施するための最良の形態】
【０００７】
本発明に係る転倒防止石材１は、図１に示すように、例えば、墓石における石材２と石材３，石材３と石材４，石材５と石材６、石材６と石材７との接合面のほぼ全面に、粘弾性体８，９，１０，１１を介在させたものである。
【０００８】
前記粘弾性体８，９，１０，１１は、ウレタン系粘着材、スチレン系粘着材、オレフィン系粘着材、ブチルゴム系粘着材、アクリルゴム系粘着材のうちの少なくとも一つを含むシート状若しくはテープ状のものである。シート状またはテープ状の粘弾性体の厚さは、石材表面の凹凸よりも大きくするため、０．３ｍｍ〜５ｍｍである。
【０００９】
また、この粘弾性体は、接合面のほぼ全面に貼着させるという使用上の使い勝手を考慮して、図２（Ａ），（Ｂ）に示すように、粘弾性体８，９…と、これを仮止めにして貼着する平板状の剥離材ｂとにおいて、該剥離材ｂが少なくとも前記粘弾性体８，９…よりも大きさが大きく、且つ、透明体も若しくは半透明体であるとするものである。
【００１０】
この剥離材ｂが透明若しくは半透明であることで、直接に粘弾性体に作業者の手が触れることなく、貼着位置の位置決めが容易となる。更に、被着体を見ながら貼り付けることができるので、位置決めが容易になる。また、この剥離材ｂに、図５（Ａ）に示すように、粘弾性体の粘着面を露出させることなく、当該粘弾性体の剥離方向の長さ以上の長さに折り返して形成される引き手ｃを付けておくことで、更に剥がし易くなる。なお、この引き手ｃは、粘弾性体の製品収納上の都合で更に折り返して三つ折りにされることもある。
【００１１】
更に、前記粘弾性体８等には、図３に示すように、その大きさを適宜に使用状態に応じて変えられるように、７吋，８吋，９吋等の予め切断線ｄ，ｅ，ｆを入れておいて、必要に応じて、適当な切断線から余分な外縁部分を取り除いて使用できるようにすることが好ましい。これにより、複数種類の粘弾性体を用意する必要が無くなり、一つのもので、複数種類の大きさに対応させることができる。よって、部品管理も容易となる。
【００１２】
このような、粘弾性体８，９，１０，１１等を使用した施工例について説明する。例えば、石材の被着面である接合面を平滑に仕上げる。そして、墨出しを行い、接合面にプライマーを塗布する。
【００１３】
前記接合面に、前記粘弾性体８を剥離材ｂから切断線ｄ等で剥がして貼る。図４（Ａ），（Ｂ）に示すように、石材３の角部の一箇所に石材位置決め用のＬアングル１３を貼る。墓石の石材２を吊り下げて設置する。前記Ｌアングル１３を撤去する。
【００１４】
また、小型クレーンなどが使用できない条件の場所においては、図５（Ａ）に示すように、引き手ｃを有する剥離材ｂが付いたままの粘弾性体８，９…を、同図５（Ｂ）に示すように、石材２の接合面に貼り、その石材２を所定の位置に仮置きし、その石材２を片方に傾けて前記剥離材ｂの引き手ｃを引っ張って剥がす。その後、この石材２をしっかりと粘弾性体８，９…に押しつける。こうして、石材２の接合面のほぼ全面に粘弾性体８，９，…が介在されて、転倒防止石材１ａとなる。
【００１５】
本発明の他の実施例として、図６（Ａ）に示すように、例えば、転倒防止石材１ｂにおける前記粘弾性体１２に、粉体状、粒状体，メッシュ，布の少なくとも一つが混入されて埋設されている場合がある。これにより、石材２ａの長期荷重で粘弾性体１２が潰されて次第に広がるようになるので、その広がりを一定に押さえるものである。
【００１６】
図６（Ｂ）に示すように、前記粘弾性体１４により、石材の傾斜を修正する場合がある。これは、石材３の上面が傾斜している場合には、それを角度調整するように、図６（Ｂ）に示す傾斜した粘弾性体１４を使用するものである。これにより、転倒防止石材１ｂにおける、石材の傾斜した接合面をカバーすることができる。
【００１７】
このほか、前記粘弾性体に、金粉や銀粉を混入させることもある。これにより、金粉がちりばめられて、精神的な崇高さを付加することができる。
【図面の簡単な説明】
【００１８】
【図１】本発明に係る転倒防止石材１の正面図である。
【図２】同転倒防止石材１に使用された粘弾性体８，９，１０，１１の平面図（Ａ）と、正面図（Ｂ）とである。
【図３】同他の実施例に係る粘弾性体８ａの平面図である。
【図４】同転倒防止石材１ａの施工を説明する説明図（Ａ），（Ｂ）である。
【図５】粘着材ｂに引き手ｃを有する場合の、実施例を説明する正面図（Ａ）と、使用状態説明図（Ｂ）とである。
【図６】同粘弾性体の他の実施例を示す転倒防止石材１ｂの正面図（Ａ）と、粘弾性体１２の正面図（Ｂ）とである。
【符号の説明】
【００１９】
１，１ａ，１ｂ          転倒防止石材、
２                      石材、
３                      石材、
４，５，６，７          石材、
８，９，１０，１１      粘弾性体、
１２，１４              粘弾性体、
１３                    Ｌアングル、
ｂ                      剥離材、
ｃ                      引き手。
【図１】
2007085048.tif 000003
【図２】
2007085048.tif 000004
【図３】
2007085048.tif 000005
【図４】
2007085048.tif 000006
【図５】
2007085048.tif 000007
【図６】
2007085048.tif 000008